(57)【要約】      （修正有）【課題】擬似データを生成する際の精度向上を図ることができる学習方法、コンテンツ再生装置及びコンテンツ再生システムを提供する。【解決手段】コンテンツ再生システムにおいて、入力されたテキストに対し、音声及び画像を含む擬似データを生成するために用いられるデータベースを生成する学習方法であって、人の顔を含む画像データと、人の顔に基づく点群を含む特徴点データとを取得する取得ステップと、一対の画像データと、特徴点データとを後工程用学習データとして、複数の後工程用学習データを用いた機械学習により後工程用データベースを生成する後工程用データベース生成ステップと、を備える。【選択図】図２
2022003447.tif 000002
【特許請求の範囲】
【請求項１】
入力されたテキストに対し、音声及び画像を含む擬似データを生成するために用いられるデータベースを生成する学習方法であって、
人の顔を含む画像データと、前記人の顔に基づく点群を含む特徴点データと、を取得する取得ステップと、
一対の前記画像データと、前記特徴点データとを後工程用学習データとして、複数の前記後工程用学習データを用いた機械学習により後工程用データベースを生成する後工程用データベース生成ステップと、
を備えることを特徴とする学習方法。
【請求項２】
前記取得ステップは、過去のテキストデータと、前記過去のテキストデータに紐づけられた音声データと、前記点群を含む前工程用特徴点データとを取得することを含み、
一組の前記過去のテキストデータと、前記音声データと、前記前工程用特徴点データとを前工程用学習データとして、複数の前記前工程用学習データを用いた機械学習により前工程用データベースを生成する前工程用データベース生成ステップをさらに備えること
を特徴とする請求項１記載の学習方法。
【請求項３】
前記特徴点データは、前記画像データを用いて生成された関連データを有し、
前記取得ステップは、取得した前記画像データに基づき抽出された前記点群を含む前記関連データを取得する関連データ取得ステップを含むこと
を特徴とする請求項１記載の学習方法。
【請求項４】
前記取得ステップは、取得した前記特徴点データの一部を変化させ、前記点群を含む擬似特徴点データを複数生成し、前記特徴点データとして取得する擬似特徴点データ取得ステップを含むこと
を特徴とする請求項１〜３の何れか１項記載の学習方法。
【請求項５】
前記画像データは、前記特徴点データ又は前記擬似特徴点データを用いて生成された擬似画像データを有し、
一対の予め取得された過去の画像データと、過去の特徴点データと、を準備用学習データとして、複数の前記準備用学習データを用いた機械学習により生成された画像生成用モデルを参照し、前記特徴点データ又は前記擬似特徴点データに基づき擬似画像データを生成する擬似画像データ取得ステップを含むこと
を特徴とする請求項４記載の学習方法。
【請求項６】
前記取得ステップは、音声データを取得する音声取得ステップを含み、
一対の前記音声データと、前記特徴点データと、を擬似音声用学習データとして、複数の前記擬似音声用学習データを用いた機械学習により擬似音声用データベースを生成する擬似音声用データベース生成ステップをさらに備えること
を特徴とする請求項１又は３記載の学習方法。
【請求項７】
前記音声データは、前記特徴点データを用いて生成された擬似音声データを有し、
前記取得ステップは、一対の予め取得された過去の音声データと、過去の特徴点データと、を音声取得用学習データとして、複数の前記音声取得用学習データを用いた機械学習により生成された音声取得用モデルを参照し、前記特徴点データに基づく擬似音声データを取得する擬似音声データ取得ステップを含むこと、
を特徴とする請求項６記載の学習方法。
【請求項８】
前記特徴点データは、前記音声データを用いて生成された擬似特徴点データを有し、
前記取得ステップは、一対の予め取得された過去の音声データと、過去の特徴点データと、を音声取得用学習データとして、複数の前記音声取得用学習データを用いた機械学習により生成された音声取得用モデルを参照し、前記音声データに基づく擬似特徴点データを取得する擬似特徴点データ取得ステップを含めること、
を特徴とする請求項６記載の学習方法。
【請求項９】
前記擬似画像データ取得ステップは、
１つの新たな前記特徴点データ又は１つの新たな前記擬似特徴点データに対して、複数の前記擬似画像データを取得すること
を特徴とする請求項５記載の学習方法。
【請求項１０】
前記擬似音声データ取得ステップは、
１つの新たな前記特徴点データに対して、複数の前記擬似音声データを取得すること
を特徴とする請求項７記載の学習方法。
【請求項１１】
前記擬似特徴点データ取得ステップは、
１つの新たな音声データに対して、複数の前記擬似特徴点データを取得すること
を特徴とする請求項８記載の学習方法。
【請求項１２】
請求項２の学習方法により生成された前記前工程用データベース及び前記後工程用データベースを参照し、前記音声及び前記画像を含む前記擬似データを出力するコンテンツ再生装置であって、
テキストデータを取得する取得部と、
前記前工程用データベースを参照し、前記テキストデータに対応する第１音声データと、前記点群を含む第１特徴点データと、を取得する前工程処理部と、
前記後工程用データベースを参照し、前記第１特徴点データに対応する第１画像データを取得する後工程処理部と、
前記第１画像データと、前記第１音声データとに基づき生成された擬似データを出力する出力部と、
を備えること特徴とするコンテンツ再生装置。
【請求項１３】
音声及び画像を含む擬似データを生成するためのコンテンツ再生装置であって、
テキストデータを取得する取得部と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理部と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理部と、
前記第１音声データ、及び第１画像データに基づき、前記音声及び前記画像を含む前記擬似データを生成する生成部と、
を備えること特徴とするコンテンツ再生装置。
【請求項１４】
音声及び画像を含む擬似データを生成するためのコンテンツ再生システムであって、
テキストデータを取得する取得手段と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理手段と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理手段と、
前記第１音声データ、及び第１画像データに基づき、前記音声及び前記画像を含む前記擬似データを生成する生成手段と、
を備えることを特徴とするコンテンツ再生システム。
【発明の詳細な説明】
【技術分野】
【０００１】
本発明は、学習方法、コンテンツ再生装置、及びコンテンツ再生システムに関する。
【背景技術】
【０００２】
従来、任意のテキストを任意の音声に変換し、任意の画像に同期させて出力することができる技術として、例えば特許文献１の表示制御装置が知られている。
【０００３】
上記特許文献１に記載された技術は、聴かせて欲しい人の音声音色を再生することができ、文章文字から変換された発話音声を選択することにより、ユーザーがいつでも聴き慣れた声の音色および音声を聴くことのできる音色選択可能なボイス再生システム、その再生方法、およびコンピュータ読み取り可能な記録媒体を提供し、上述したボイス再生システムは、さらに、処理装置に接続されたディスプレイを含む。処理装置は、少なくとも１つの本物の顔映像を収集し、この合成ボイス信号に基づいて口唇形状変化データを生成し、１つの本物の顔映像を口唇形状変化データに基づいて合成顔映像に合成するとともに、それぞれディスプレイおよびスピーカーで合成顔映像および合成ボイス信号を同時に再生する技術である。
【先行技術文献】
【特許文献】
【０００４】
【特許文献１】特開２０２０−５６９９６号公報
【発明の概要】
【発明が解決しようとする課題】
【０００５】
ここで、特許文献１では、本物の顔映像を口唇形状変化データに基づいて、合成顔映像に合成する。このため、合成ボイス信号に対して口唇の動きは連動させることができるが、顔全体の動きを連動させることができず、ユーザーが求める精度との乖離が懸念として挙げられる。従って、合成顔画像等を含む擬似データを生成する際の精度向上が望まれている。
【０００６】
そこで本発明は、上述した問題点に鑑みて案出されたものであり、その目的とするところは、擬似データを生成する際の精度向上を図ることができる学習方法、コンテンツ再生装置、及びコンテンツ再生システムを提供することにある。
【課題を解決するための手段】
【０００７】
第１発明に係る学習方法は、入力されたテキストに対し、音声及び画像を含む擬似データを生成するために用いられるデータベースを生成する学習方法であって、人の顔を含む画像データと、前記人の顔に基づく点群を含む特徴点データと、を取得する取得ステップと、一対の前記画像データと、前記特徴点データとを後工程用学習データとして、複数の前記後工程用学習データを用いた機械学習により後工程用データベースを生成する後工程用データベース生成ステップと、を備えることを特徴とする。
【０００８】
第２発明に係る学習方法は、第１発明において、前記取得ステップは、過去のテキストデータと、前記過去のテキストデータに紐づけられた音声データと、前記点群を含む前工程用特徴点データとを取得することを含み、一組の前記過去のテキストデータと、前記音声データと、前記前工程用特徴点データとを前工程用学習データとして、複数の前記前工程用学習データを用いた機械学習により前工程用データベースを生成する前工程用データベース生成ステップをさらに備えることを特徴とする。
【０００９】
第３発明に係る学習方法は、第１発明において、前記特徴点データは、前記画像データを用いて生成された関連データを有し、前記取得ステップは、取得した前記画像データに基づき抽出された前記点群を含む前記関連データを取得する関連データ取得ステップを含むことを特徴とする。
【００１０】
第４発明に係る学習方法は、第１発明〜第３発明のいずれかにおいて、前記取得ステップは、取得した前記特徴点データの一部を変化させ、前記点群を含む擬似特徴点データを複数生成し、前記特徴点データとして取得する擬似特徴点データ取得ステップを含むことを特徴とする。
【００１１】
第５発明に係る学習方法は、第４発明において、前記画像データは、前記特徴点データ又は前記擬似特徴点データを用いて生成された擬似画像データを有し、一対の予め取得された過去の画像データと、過去の特徴点データと、を準備用学習データとして、複数の前記準備用学習データを用いた機械学習により生成された画像生成用モデルを参照し、前記特徴点データ又は前記擬似特徴点データに基づき擬似画像データを生成する擬似画像データ取得ステップを含むことを特徴とする。
【００１２】
第６発明に係る学習方法は、第１発明又は第３発明において、前記取得ステップは、音声データを取得する音声取得ステップを含み、一対の前記音声データと、前記特徴点データと、を擬似音声用学習データとして、複数の前記擬似音声用学習データを用いた機械学習により擬似音声用データベースを生成する擬似音声用データベース生成ステップをさらに備えることを特徴とする。
【００１３】
第７発明に係る学習方法は、第６発明において、前記音声データは、前記特徴点データを用いて生成された擬似音声データを有し、前記取得ステップは、一対の予め取得された過去の音声データと、過去の特徴点データと、を音声取得用学習データとして、複数の前記音声取得用学習データを用いた機械学習により生成された音声取得用モデルを参照し、前記特徴点データに基づく擬似音声データを取得する擬似音声データ取得ステップを含むこと、を特徴とする。
【００１４】
第８発明に係る学習方法は、第６発明において、前記特徴点データは、前記音声データを用いて生成された擬似特徴点データを有し、前記取得ステップは、一対の予め取得された過去の音声データと、過去の特徴点データと、を音声取得用学習データとして、複数の前記音声取得用学習データを用いた機械学習により生成された音声取得用モデルを参照し、前記音声データに基づく擬似特徴点データを取得する擬似特徴点データ取得ステップを含めること、を特徴とする。
【００１５】
第９発明に係る学習方法は、第５発明において、前記擬似画像データ取得ステップは、１つの新たな前記特徴点データ又は１つの新たな前記擬似特徴点データに対して、複数の前記擬似画像データを取得することを特徴とする。
【００１６】
第１０発明に係る学習方法は、第７発明において、前記擬似音声データ取得ステップは、１つの新たな前記特徴点データに対して、複数の前記擬似音声データを取得することを特徴とする。
【００１７】
第１１発明に係る学習方法は、第８発明において、前記擬似特徴点データ取得ステップは、１つの新たな音声データに対して、複数の前記擬似特徴点データを取得することを特徴とする。
【００１８】
第１２発明に係るコンテンツ再生装置は、第２発明の学習方法により生成された前記前工程用データベース及び前記後工程用データベースを参照し、前記音声及び前記画像を含む前記擬似データを出力するコンテンツ再生装置であって、テキストデータを取得する取得部と、前記前工程用データベースを参照し、前記テキストデータに対応する第１音声データと、前記点群を含む第１特徴点データと、を取得する前工程処理部と、前記後工程用データベースを参照し、前記第１特徴点データに対応する第１画像データを取得する後工程処理部と、前記第１画像データと、前記第１音声データとに基づき生成された擬似データを出力する出力部と、を備えること特徴とする。
【００１９】
第１３発明に係るコンテンツ再生装置は、音声及び画像を含む擬似データを生成するためのコンテンツ再生装置であって、テキストデータを取得する取得部と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理部と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理部と、前記第１音声データ、及び第１画像データに基づき、前記音声及び前記画像を含む前記擬似データを生成する生成部と、を備えること特徴とする。
【００２０】
第１４発明に係るコンテンツ再生システムは、音声及び画像を含む擬似データを生成するためのコンテンツ再生システムであって、テキストデータを取得する取得手段と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理手段と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理手段と、前記第１音声データ、及び第１画像データに基づき、前記音声及び前記画像を含む前記擬似データを生成する生成手段と、を備えることを特徴とする。
【発明の効果】
【００２１】
第１発明〜第１２発明によれば、後工程用データベース生成ステップは、一対の人の顔を含む画像データと、人の顔に基づく点群を含む特徴点データと、を後工程用学習データとして、複数の後工程用学習データを用いた機械学習により後工程用データベースを生成する。このため、生成された後工程用データベースを用いて擬似データを生成する際、点群に基づく顔全体の動きを、テキストに連動させることができる。これにより、擬似データを生成する際の精度向上を図ることが可能となる。
【００２２】
特に、第２発明によれば、前工程用データベース生成ステップは、一組の過去のテキストデータと、過去のテキストデータに紐づけられた音声データと、点群を含む前処理用特徴点データとを前工程用学習データとして、複数の前工程用学習データを用いた機械学習により前工程用データベースを生成する。すなわち、生成された前工程用データベースを参照し、任意のテキストデータに対応する音声データ、及び特徴点データを取得することができる。また、後工程用データベースを参照し、取得した特徴点データに対応する画像データを取得でき、各データベースを参照して取得した音声データ及び画像データに基づき、擬似データを生成することができる。このため、前工程用データベース及び後工程用データベースを用いることで、入力データとしてテキストデータのみから擬似データを生成することができる。これにより、擬似データを生成するために必要なデータ種類を最小限に抑えることができる。従って、ユーザ等がデータを準備するための負担を軽減することが可能となる。
【００２３】
特に、第４発明によれば、擬似特徴点データ取得ステップは、取得した特徴点データの一部を変化させ、点群を含む擬似特徴点データを複数生成し、特徴点データとして取得する。すなわち、後工程用学習データとして用いられる特徴点データが少ない場合においても、擬似特徴点データを後工程用学習データとして用いることができる。このため、機械学習に用いられる後工程用学習データを容易に取得することができる。これにより、少ない学習データでさらなる精度の向上を実現することが可能となる。
【００２４】
特に、第５発明によれば、擬似画像データ取得ステップは、特徴点データ又は擬似特徴点データに基づき擬似画像データを生成する。すなわち、後工程用学習データとして用いられる画像データが少ない場合においても、擬似画像データを後工程用学習データとして用いることができる。このため、機械学習に用いられる後工程用学習データを容易に取得することができる。これにより、少ない学習データでさらなる精度の向上を実現することが可能となる。
【００２５】
特に、第７発明によれば、擬似音声データ取得ステップは、特徴点データに基づく擬似音声データを生成する。すなわち、擬似音声用学習データとして用いられる音声データが少ない場合においても、特徴点データに基づき生成された擬似音声データを、擬似音声用学習データとして用いることができる。このため、機械学習に用いられる特徴点データに紐づけられた擬似音声データを、擬似音声用学習データとして容易に取得することができる。これにより、少ない学習データでさらなる精度の向上を実現することが可能となる。
【００２６】
特に、第８発明によれば、擬似特徴点データ取得ステップは、人の音声データから擬似特徴点データを生成する。すなわち、擬似音声用学習データとして用いられる特徴点データが少ない場合においても、音声データから生成された擬似特徴点データを擬似音声用学習データとして用いることができる。このため、機械学習に用いられる音声データに紐つけられた特徴点データを擬似音声用学習データを容易に取得することができる。これにより、少ない学習データでさらなる精度の向上を実現することが可能となる。
【００２７】
第１３発明によれば、後工程処理部は、後工程用データベースを参照し、第１特徴点データに対応する第１画像データを取得する。また、生成部は、第１音声データ、及び第１画像データに基づき、音声及び画像を含む擬似データを生成する。このため、擬似データを生成する際、点群に基づく顔全体の動きを、テキストに連動させることができる。これにより、擬似データを生成する際の精度向上を図ることが可能となる。
【００２８】
第１４発明によれば、後工程処理手段は、後工程用データベースを参照し、第１特徴点データに対応する第１画像データを取得する。また、生成手段は、第１音声データ、及び第１画像データに基づき、音声及び画像を含む擬似データを生成する。このため、擬似データを生成する際、点群に基づく顔全体の動きを、テキストに連動させることができる。これにより、擬似データを生成する際の精度向上を図ることが可能となる。
【図面の簡単な説明】
【００２９】
【図１】図１は、第１実施形態におけるコンテンツ再生システムの一例を示す模式図である。
【図２】図２は、第１実施形態におけるコンテンツ再生システムの動作の一例を示す模式図である。
【図３】図３（ａ）及び図３（ｂ）は、学習方法の一例を示す模式図である。
【図４】図４は、後工程用データベースの一例を示す模式図である。
【図５】図５は、前工程用データベースの一例を示す模式図である。
【図６】図６（ａ）は、第１実施形態におけるコンテンツ再生装置の構成の一例を示す模式図であり、図６（ｂ）は、第１実施形態におけるコンテンツ再生装置の機能の一例を示す模式図であり、図６（ｃ）は、処理部の一例を示す模式図であり、図６（ｄ）は、ＤＢ生成部の一例を示す模式図である。
【図７】図７（ａ）及び図７（ｂ）は、第１実施形態における学習方法の一例を示すフローチャートである。
【図８】図８は、第１実施形態におけるコンテンツ再生システムの動作の一例を示すフローチャートである。
【図９】図９（ａ）及び図９（ｂ）は、第２実施形態における学習方法の一例を示す模式図である。
【図１０】図１０は、第２実施形態における学習方法の一例を示すフローチャートである。
【図１１】図１１は、第２実施形態における学習方法の他の例を示すフローチャートである。
【発明を実施するための形態】
【００３０】
以下、本発明を適用した実施形態における学習方法、コンテンツ再生装置及びコンテンツ再生システムの一例について、図面を参照しながら説明する。
【００３１】
（第１実施形態）
図１〜図３を参照して、第１実施形態におけるコンテンツ再生システム１００、コンテンツ再生装置１、及び学習方法の一例について説明する。図１は、本実施形態におけるコンテンツ再生システム１００の一例を示す模式図である。図２は、本実施形態におけるコンテンツ再生システム１００の動作の一例を示す模式図である。図３（ａ）及び図３（ｂ）は、本実施形態における学習方法の一例を示す模式図である。
【００３２】
＜コンテンツ再生システム１００＞
コンテンツ再生システム１００は、音声及び画像を含む擬似データを生成するために用いられる。コンテンツ再生システム１００は、例えば学習データを用いた機械学習により生成されたデータベースを参照し、入力されたテキストに対し、音声及び画像を含む擬似データを生成する。
【００３３】
コンテンツ再生システム１００は、例えば図１に示すように、コンテンツ再生装置１を備える。コンテンツ再生システム１００は、例えば端末２及びサーバ３の少なくとも何れかを備えてもよい。コンテンツ再生装置１は、例えば通信網４を介して端末２やサーバ３と接続される。
【００３４】
コンテンツ再生システム１００では、例えば図２に示すように、コンテンツ再生装置１が任意のテキストデータを取得する。コンテンツ再生装置１は、前工程用データベースを参照し、任意のテキストデータに対応する音声データ（第１音声データ）と、人の顔に基づく点群で構成された特徴点データ（第１特徴点データ）とを取得する。その後、コンテンツ再生装置１は、後工程用データベースを参照し、第１特徴点データに対応する画像データ（第１画像データ）を取得する。そして、コンテンツ再生装置１は、取得した第１音声データ、及び第１画像データに基づき、音声及び画像を含む擬似データを生成する。これにより、コンテンツ再生システム１００では、生成された擬似データ出力することで、入力されたテキスト（テキストデータ）に最適な音声と画像とを同期再生させることができる。
【００３５】
前工程用データベースは、機械学習により生成される。前工程用データベースとして、例えば一組の予め取得された過去のテキストデータと、過去のテキストデータに紐づけられた音声データと、人の顔に基づく点群を含む特徴点データ（前工程用特徴点データ）とを学習データ（前工程用学習データ）として、複数の学習データを用いた機械学習により構築された学習済みモデルが用いられる。
【００３６】
なお、例えば一組の過去の音声データと、過去の音声データから生成されたテキストデータと、過去の特徴点データとを前工程用学習データとしてもよい。この場合、過去の音声データからテキストデータを生成する方法として、公知の技術が用いられる。
【００３７】
後工程用データベースは、機械学習により生成される。後工程用データベースとして、例えば一対の予め取得された過去の特徴点データ（後工程用特徴点データ）と、人の顔全体を撮像した画像データとを学習データ（後工程用学習データ）として、複数の学習データを用いた機械学習により構築された学習済みモデルが用いられる。
【００３８】
テキストデータは、文字など文字コードによって表されるデータである。テキストデータは例えば、モニタやプリンタなどの機器を制御するためのデータである制御文字を含む。制御文字は例えば、改行を表す改行文字やタブ（水平タブ）などが含まれる。
【００３９】
テキストデータは、コンテンツ再生システム１００によって出力される音声に関する内容を示す。テキストデータは、例えばコンテンツ再生装置１等を介して、ユーザ等により入力される。なお、過去のテキストデータは、上記テキストデータと同種のデータ形式を示す。
【００４０】
音声データは、音声を符号化したものである。音声の符号化には例えば、量子化ビット数とサンプリング周波数と時間とで定まる長さのビット列として表されるパルス符号変調（ＰＣＭ）方式に基づくものと、音声の波の疎密を１ｂｉｔで表現して一定の間隔で標本化するパルス密度変調（ＰＤＭ）方式に基づくものなどがある。
【００４１】
音声データは、コンテンツ再生システム１００によって出力される音声を生成する際に用いられるデータを示す。音声データとして、例えば擬似データを生成する際、そのまま音声として利用できるデータ形式が用いられてもよい。音声データは、例えば公知の収音装置等を用いて収音された音声のデータを示すほか、例えば公知の技術で生成された擬似的な音声を示してもよい。なお、過去の音声データは、上記音声データと同種のデータ形式を示す。
【００４２】
特徴点データは、画像データを取得する際に用いられる。特徴点データは、人の顔に基づく点群を含む。点群は、人の顔全体に対する３次元構造の特徴を示し、例えばＳＩＦＴ（Scale-Invariant Feature Transform）による画像解析又は３Ｄカメラ等の公知の撮像装置や処理技術によって取得することができる。
【００４３】
なお、「顔全体」とは、例えば口、鼻、及び目を含む領域を示し、例えば耳、額、顎、及び頬の少なくとも何れかを含む領域を示してもよい。特に、特徴点データが、口、鼻、目、顎、及び頬を含む領域に基づく点群を含む場合、コンテンツ再生システム１００によって出力される音声に対し、画像の動きを高精度に同期させることが可能となる。
【００４４】
なお、過去の特徴点データ、前工程用特徴点データ、及び後工程用特徴点データは、上記特徴点データと同種のデータ形式を示す。また、上述した各データベースの生成に用いられる各特徴点データ（前工程用特徴点データ、及び後工程用特徴点データ）として、例えば同一のデータが少なくとも一部用いられてもよいほか、例えば全く異なるデータが用いられてもよい。
【００４５】
特徴点データは、例えば顔の構造に基づく曲率情報や、位置情報を含んでもよい。この場合、コンテンツ再生システム１００によって出力される画像の表現パターンを増大させることができる。これにより、音声に対して画像を同期させる精度をさらに向上させることが可能となる。なお、曲率情報、及び位置情報は、公知の撮像装置や処理技術によって取得してもよい。
【００４６】
コンテンツ再生システム１００では、特徴点データを用いて画像データを取得することで、テキストに対応する擬似データの精度を向上させることが可能となる。
【００４７】
画像データは、コンテンツ再生システム１００によって出力される擬似データを生成する際に用いられる。画像データとして、例えば擬似データを生成する際、そのまま画像として利用できるデータ形式が用いられてもよい。画像データは、例えば公知の撮像装置等を用いて撮像された人を含む画像のデータを示すほか、例えば公知の技術で生成された擬似的な画像を示してもよい。
【００４８】
擬似データは、音声及び画像を含み、コンテンツ再生システム１００によって取得されたテキストに対応する内容を示す。擬似データは、例えば音声データ、及び画像データに基づき、公知の技術を用いて生成される。擬似データとして、例えば画像に含まれる人が、音声に適した動きを示す動画が用いられる。なお、上述した「人」は、実在する人物のほか、アニメーション等のような、擬似的に生成された人物（キャラクター）でもよい。
【００４９】
＜学習方法＞
本実施形態における学習方法は、入力されたテキストに対し、音声及び画像を含む擬似データを生成するために用いられるデータベースを生成する際に用いられる。データベースは、例えば前処理用データベースと、後処理用データベースとを含む。
【００５０】
学習方法は、例えば図３（ａ）に示すように、後工程用データベースを生成する。学習方法は、一対の人の顔を含む画像データと、人の顔に基づく点群を含む特徴点データとを学習データ（後工程用学習データ）として、複数の学習データを用いた機械学習により、後工程用データベースを生成する。
【００５１】
また、学習方法は、例えば図３（ｂ）に示すように、前工程用データベースを生成してもよい。学習方法は、一組のテキストデータと、人の音声を含む音声データと、人の顔に基づく点群を含む特徴点データと、を学習データ（前工程用学習データ）として、複数の学習データを用いた機械学習により前工程用データベースを生成してもよい。
【００５２】
学習方法では、例えばニューラルネットワークをモデルとした機械学習を用いて、前工程用データベース及び後工程用データベースを生成する。前工程用データベース及び後工程用データベースは、例えばＣＮＮ（Convolution Neural Network） 等のニューラルネットワークをモデルとした機械学習を用いて生成されるほか、任意のモデルが用いられてもよい。
【００５３】
後工程用データベースには、例えば画像データと特徴点データとの間における連関度を有する第１連関性が記憶される。連関度は、画像データと特徴点データとの繋がりの度合いを示しており、例えば連関度が高いほど各データの繋がりが強いと判断することができる。連関度は、例えば百分率等の３値以上（３段階以上）で示されるほか、２値（２段階）で示されてもよい。
【００５４】
例えば連関性は、多対多の情報（複数の画像データ、対、複数の特徴点データ）の間における繋がりの度合いにより構築される。連関性は、機械学習の過程で適宜更新され、例えば複数の画像データ、及び複数の特徴点データに基づいて最適化された関数（分類器）を示す。なお、連関性は、例えば各データの間における繋がりの度合いを示す複数の連関度を有してもよい。連関度は、例えばデータベースがニューラルネットワークで構築される場合、重み変数に対応させることができる。
【００５５】
このため、コンテンツ再生システム１００では、例えば分類器の判定した結果を全て踏まえた連関性を用いて、特徴点データに適した画像データを選択する。これにより、特徴点データが、画像データと同一又は類似である場合のほか、非類似である場合においても、特徴点データに適した画像データを定量的に選択することができる。
【００５６】
連関性は、例えば図４に示すように、複数の画像データと、複数の特徴点データとの間における繋がりの度合いを示してもよい。この場合、連関性を用いることで、複数の画像データ（図４では「画像Ａ」〜「画像Ｃ」）のそれぞれに対し、複数の特徴点データ（図４では「特徴点Ａ」〜「特徴点Ｃ」）の関係の度合いを紐づけて記憶させることができる。このため、例えば連関性を介して、１つの画像データに対して、複数の特徴点データを紐づけることができる。これにより、特徴点データに対して多角的な画像データの選択を実現することができる。
【００５７】
連関性は、例えば各画像データと、各特徴点データとをそれぞれ紐づける複数の連関度を有する。連関度は、例えば百分率、１０段階、又は５段階等の３段階以上で示され、例えば線の特徴（例えば太さ等）で示される。例えば、画像データに含まれる「画像Ａ」は、特徴点データに含まれる「特徴点Ａ」との間の連関度ＡＡ「７３％」を示し、特徴点データに含まれる「特徴点Ｂ」との間の連関度ＡＢ「１２％」を示す。すなわち、「連関度」は、各データ間における繋がりの度合いを示しており、例えば連関度が高いほど、各データの繋がりが強いことを示す。
【００５８】
前工程用データベースには、例えば過去のテキストデータと、音声データ及び特徴点データの組合せとの間における連関度を有する第２連関性が記憶される。連関度は、過去のテキストデータと、音声データ及び特徴点データとの繋がりの度合いを示しており、例えば連関度が高いほど各データの繋がりが強いと判断することができる。連関度は、例えば百分率等の３値以上（３段階以上）で示されるほか、２値（２段階）で示されてもよい。
【００５９】
例えば連関性は、多対多の情報（複数の過去のテキストデータ、対、複数の音声データ及び特徴点データの組合せ）の間における繋がりの度合いにより構築される。連関性は、機械学習の過程で適宜更新され、例えば複数の過去のテキストデータと、複数の音声データ及び特徴点データの組合せに基づいて最適化された関数（分類器）を示す。なお、連関性は、例えば各データの間における繋がりの度合いを示す複数の連関度を有してもよい。連関度は、例えばデータベースがニューラルネットワークで構築される場合、重み変数に対応させることができる。
【００６０】
このため、コンテンツ再生システム１００では、例えば分類器の判定した結果を全て踏まえた連関性を用いて、任意のテキストデータに適した音声データ及び特徴点データの組合せを選択する。これにより、音声データ及び特徴点データの組合せが、任意のテキストデータと同一又は類似である場合のほか、非類似である場合においても、任意のテキストデータに適した音声データ及び特徴点データの組合せを定量的に選択することができる。
【００６１】
連関性は、例えば図５に示すように、複数のテキストデータ（過去のテキストデータ）と、複数の音声データ及び複数の特徴点データと、の間における繋がりの度合いを示してもよい。この場合、連関性を用いることで、複数のテキストデータ（図５では「テキストＡ」〜「テキストＣ」）のそれぞれに対し、複数の音声データ及び特徴点データ（図５では「音声Ａ＋特徴点Ａ」〜「音声Ｃ＋特徴点Ｃ」）の関係の度合いを紐づけて記憶させることができる。このため、例えば連関性を介して、１つのテキストデータに対して、複数の音声データ及び特徴点データを紐づけることができる。これにより、任意のテキストデータに対して多角的な音声データ及び特徴点データの選択や評価を実現することができる。
【００６２】
連関性は、各テキストデータと、各音声データ及び特徴点データとをそれぞれ紐づける複数の連関度を有する。連関度は、例えば百分率、１０段階、又は５段階等の３段階以上で示され、例えば線の特徴（例えば太さ等）で示される。例えば、テキストデータに含まれる「テキストＡ」は、音声データ及び特徴点データに含まれる「音声Ａ+特徴点Ａ」との間の連関度ＡＡ「７３％」を示し、音声データ及び特徴点データに含まれる「音声Ｂ+特徴点Ｂ」との間の連関度ＡＢ「１２％」を示す。すなわち、「連関度」は、各データ間における繋がりの度合いを示しており、例えば連関度が高いほど、各データの繋がりが強いことを示す。
【００６３】
＜コンテンツ再生装置１＞
次に、図６を参照して、本実施形態におけるコンテンツ再生装置１の一例を説明する。図６（ａ）は、本実施形態におけるコンテンツ再生装置１の構成の一例を示す模式図であり、図６（ｂ）は、本実施形態におけるコンテンツ再生装置１の機能の一例を示す模式図である。
【００６４】
コンテンツ再生装置１として、例えばラップトップ（ノート）ＰＣ又はデスクトップＰＣ等の電子機器が用いられる。コンテンツ再生装置１は、例えば図６（ａ）に示すように、筐体１０と、ＣＰＵ（Central Processing Unit）１０１と、ＲＯＭ（Read Only Memory）１０２と、ＲＡＭ（Random Access Memory）１０３と、保存部１０４と、Ｉ／Ｆ１０５〜１０７とを備える。各構成１０１〜１０７は、内部バス１１０により接続される。
【００６５】
ＣＰＵ１０１は、コンテンツ再生装置１全体を制御する。ＲＯＭ１０２は、ＣＰＵ１０１の動作コードを格納する。ＲＡＭ１０３は、ＣＰＵ１０１の動作時に使用される作業領域である。保存部１０４は、データベースや学習対象データ等の各種情報が記憶される。保存部１０４として、例えばＨＤＤ（Hard Disk Drive）のほか、ＳＳＤ（Solid State Drive）等のデータ保存装置が用いられる。なお、例えばコンテンツ再生装置１は、図示しないＧＰＵ（Graphics Processing Unit）を有してもよい。
【００６６】
Ｉ／Ｆ１０５は、通信網４を介して、必要に応じて端末２、サーバ３、ウェブサイト等との各種情報の送受信を行うためのインターフェースである。Ｉ／Ｆ１０６は、入力部１０８との情報の送受信を行うためのインターフェースである。入力部１０８として、例えばキーボードが用いられ、コンテンツ再生装置１の使用者等は、入力部１０８を介して、各種情報、又はコンテンツ再生装置１の制御コマンド等を入力する。Ｉ／Ｆ１０７は、表示部１０９との各種情報の送受信を行うためのインターフェースである。表示部１０９は、保存部１０４に保存された各種情報、又はコンテンツ等を表示する。表示部１０９として、ディスプレイが用いられ、例えばタッチパネル式の場合、入力部１０８と一体に設けられる。
【００６７】
図６（ｂ）は、コンテンツ再生装置１の機能の一例を示す模式図である。コンテンツ再生装置１は、取得部１１と、処理部１２と、生成部１３と、出力部１４と、記憶部１５とを備え、例えばＤＢ生成部１６を有してもよい。処理部１２は、例えば図６（ｃ）に示すように、前工程処理部１２ａと、後工程処理部１２ｂとを有する。ＤＢ生成部１６は、例えば図６（ｄ）に示すように、前工程用データベース生成部１６ａと、後工程用データベース生成部１６ｂとを有する。なお、図６（ｂ）〜図６（ｄ）に示した各機能は、ＣＰＵ１０１が、ＲＡＭ１０３を作業領域として、保存部１０４等に記憶されたプログラムを実行することにより実現され、例えば人工知能等により制御されてもよい。
【００６８】
＜＜取得部１１＞＞
取得部１１は、テキストデータを取得する。テキストデータは、上述した擬似データを生成する際に用いられる。取得部１１は、例えば入力部１０８から入力されたテキストデータを取得するほか、例えば通信網４を介して、端末２等からテキストデータを取得してもよい。
【００６９】
取得部１１は、例えば上述した各種データベースの生成に用いられる学習データを取得してもよい。取得部１１は、例えば入力部１０８から入力された学習データを取得するほか、例えば通信網４を介して、端末２等から学習データを取得してもよい。
【００７０】
例えば前工程用データベースの生成に用いられる学習データ（前工程用学習データ）として、過去のテキストデータ、音声データ、及び特徴点データ（前工程用特徴点データ）が挙げられる。また、例えば後工程用データベースの生成に用いられる学習データ（後工程用学習データ）として、特徴点データ（後工程用特徴点データ）、及び画像データが挙げられる。
【００７１】
＜＜処理部１２＞＞
処理部１２は、例えば前工程用データベース及び後工程用データベースを含むデータベースを参照し、入力データに対応する出力データを取得する。処理部１２は、例えば前工程処理部１２ａと、後工程処理部１２ｂとを有する。
【００７２】
後工程処理部１２ｂは、例えば後工程用データベースを参照し、特徴点データ（第１特徴点データ）に対応する画像データ（第１画像データ）を取得する。後工程処理部１２ｂは、例えば特徴点データを入力データとし、後工程用データベースを参照して演算された出力データを、画像データとして取得する。
【００７３】
後工程処理部１２ｂは、例えば特徴点データに対し、連関性の最も高い画像データを、第１画像データとして選択するほか、例えば予め設定された閾値以上の連関度を有する複数の画像データを、第１画像データとして選択してもよい。
【００７４】
後工程処理部１２ｂは、例えば図４の後工程用データベースを参照した場合、処理部１２は、入力された特徴点データと同一又は類似する後工程用特徴点データ（例えば「特徴点Ａ」：第１特徴点データとする）を選択する。選択される後工程用特徴点データとして、入力された特徴点データと一部一致又は完全一致する後工程用特徴点データが選択されるほか、例えば入力された特徴点データと類似する後工程用特徴点データが選択される。なお、選択される類似度の度合い、及び選択される後工程用特徴点データの数については、任意に設定できる。
【００７５】
後工程処理部１２ｂは、前工程処理部１２ａで取得された特徴点データに紐づく画像データのうち、例えば最も連関度の高い画像データ（例えば「画像Ａ」：第１画像データとする）を選択するほか、例えば閾値（例えば３０％）以上の連関度を有する画像データ（例えば「画像Ａ」（連関度ＡＡ（７３％））、及び「画像Ｃ」（連関度ＡＣ（３３％）））を、第１画像データとして選択してもよい。
【００７６】
前工程処理部１２ａは、例えば前工程用データベースを参照し、テキストデータに対応する音声データ（第１音声データ）及び特徴点データ（第１特徴点データ）を取得する。前工程処理部１２ａは、例えばテキストデータを入力データとし、前工程用データベースを参照して演算された出力データを、音声データ及び特徴点データの組合せとして取得する。
【００７７】
前工程処理部１２ａは、例えばテキストデータに対し、連関性の最も高い音声データ及び特徴点データを、第１音声データ及び第１特徴点データとして選択するほか、例えば予め設定された閾値以上の連関度を有する複数の音声データ及び特徴点データを、第１音声データ及び第１特徴点データとして選択してもよい。
【００７８】
前工程処理部１２ａは、例えば図５の前工程用データベースを参照した場合、処理部１２は、入力されたテキストデータと同一又は類似する過去のテキストデータ（例えば「テキストＡ」：第１テキストデータとする）を選択する。選択される過去のテキストデータとして、入力されたテキストデータと一部一致又は完全一致する過去のテキストデータが選択されるほか、例えば入力されたテキストデータと類似する過去のテキストデータが選択される。なお、選択される類似度の度合い、及び選択される過去のテキストデータの数については、任意に設定できる。
【００７９】
前工程処理部１２ａは、選択した第１テキストデータに紐づく音声データ及び特徴点データのうち、例えば最も連関度の高い音声データ及び特徴点データ（例えば「音声Ａ＋特徴点Ａ」：第１音声データ及び第１特徴点データとする）を選択するほか、例えば閾値（例えば３０％）以上の連関度を有する音声データ及び特徴点データ（例えば「音声Ａ＋特徴点Ａ」（連関度ＡＡ（７３％）））、及び「音声Ｃ＋特徴点Ｃ」（連関度ＡＣ（３３％））を、第１音声及び第１特徴点データとして選択してもよい。
【００８０】
＜＜生成部１３＞＞
生成部１３は、処理部１２の出力データに基づき、少なくとも１つの擬似データを生成する。生成部１３は、例えば前工程処理部１２ａで取得された音声データ（第１音声データ）、及び後工程処理部１２ｂで取得された画像データ（第１画像データ）に基づき、音声及び画像を含む擬似データを生成する。生成部１３は、例えば、第１音声データ及び第１画像データに加え、前工程処理部１２ａで取得された第１特徴点データに基づき、擬似データを生成してもよい。
【００８１】
＜＜出力部１４＞＞
出力部１４は、擬似データを出力する。出力部１４は、例えば第１特徴点データに対して選択された第１画像データを出力してもよい。出力部１４は、例えば生成部１３で生成されたデータを出力してもよい。出力部１４は、Ｉ／Ｆ１０７を介して表示部１０９に擬似データを出力するほか、例えばＩ／Ｆ１０５を介して、端末２等に擬似データを出力する。
【００８２】
＜＜記憶部１５＞＞
記憶部１５は、保存部１０４に保存されたデータベース等の各種データを必要に応じて取出す。記憶部１５は、各構成１１〜１４、１６により取得又は生成された各種データを、必要に応じて保存部１０４に保存する。
【００８３】
＜＜ＤＢ生成部１６＞＞
ＤＢ生成部１６は、複数の学習データを用いた機械学習によりデータベースを生成する。機械学習には、例えば上述したニューラルネットワーク等が用いられる。
【００８４】
ＤＢ生成部１６は、例えば、前工程用データベース生成部１６ａと、後工程用データベース生成部１６ｂとを有する。
【００８５】
後工程用データベース生成部１６ｂは、例えば一対の特徴点データと、画像データと、を学習データとして、複数の学習データを用いた機械学習により前工程用データベースを生成する。
【００８６】
前工程用データベース生成部１６ａは、例えば一組のテキストデータと、音声データ及び特徴点データと、を学習データとして、複数の学習データを用いた機械学習により前工程用データベースを生成する。
【００８７】
＜端末２＞
端末２は、例えばコンテンツ再生システム１００を用いたサービスのユーザ等が保有し、通信網４を介してコンテンツ再生装置１と接続される。端末２は、例えばデータベースを生成する電子機器を示してもよい。端末２は、例えばパーソナルコンピュータや、タブレット端末等の電子機器が用いられる。端末２は、例えばコンテンツ再生装置１の備える機能のうち、少なくとも一部の機能を備えてもよい。
【００８８】
＜サーバ３＞
サーバ３は、通信網４を介してコンテンツ再生装置１と接続される。サーバ３は、過去の各種データ等が記憶され、必要に応じてコンテンツ再生装置１から各種データが送信される。サーバ３は、例えばコンテンツ再生装置１の備える機能のうち、少なくとも一部の機能を備えてもよく、例えばコンテンツ再生装置１の代わりに少なくとも一部の処理を行ってもよい。サーバ３は、例えばコンテンツ再生装置１の保存部１０４に記憶された各種データのうち少なくとも一部が記憶され、例えば保存部１０４の代わりに用いられてもよい。
【００８９】
＜通信網４＞
通信網４は、例えばコンテンツ再生装置１が通信回路を介して接続されるインターネット網等である。通信網４は、いわゆる光ファイバ通信網で構成されてもよい。また、通信網４は、有線通信網のほか、無線通信網等の公知の通信技術で実現してもよい。
【００９０】
（第１実施形態：学習方法）
次に、第１実施形態における学習方法の一例について説明する。図７（ａ）は、本実施形態における学習方法の一例を示すフローチャートである。
【００９１】
学習方法は、取得ステップＳ１１０と、後工程用データベース生成ステップＳ１２０と、を備える。学習方法は、例えば図７（ｂ）に示すように、前工程用データベース生成ステップＳ２２０をさらに備えてもよい。
【００９２】
＜取得ステップＳ１１０＞
取得ステップＳ１１０は、画像データと、特徴点データ（後工程用特徴点データ）とを取得する。取得ステップＳ１１０は、例えば学習用の人の顔を含む画像データと、画像データを用いて生成された関連データを有する後工程用特徴点データとを取得してもよい。取得ステップＳ１１０では、例えば取得部１１が、上述した各データを取得する。取得部１１は、例えば端末２等から画像データ、及び後工程用特徴点データを取得するほか、例えば記憶部１５を介して、保存部１０４から取得してもよい。
【００９３】
＜後工程用データベース生成ステップＳ１２０＞
次に、後工程用データベース生成ステップＳ１２０は、一対の画像データと、後工程用特徴点データとを学習データ（後工程用学習データ）とした機械学習により、後工程用データベースを生成する。例えば、後工程用データベース生成部１６ｂは、公知の機械学習により、後工程用データベースを生成する。後工程用データベース生成部１６ｂは、例えば記憶部１５を介して、生成した後工程用データベースを保存部１０４に保存する。なお、生成された後工程用データベースは、例えばサーバ３や他のコンテンツ再生装置１に、後工程用データベースを送信されてもよい。後工程用学習データは、一対の画像データと後工程用特徴点データとのデータを複数（例えば１０００程度）含ませてもよい。
【００９４】
上述した各ステップを行うことで、本実施形態における学習方法が完了する。
【００９５】
学習方法は、例えば上述した後工程用データベースを生成するほか、前工程用データベースを生成してもよい（前工程用データベース生成ステップＳ２２０）。この場合、取得ステップＳ２１０は、例えばテキストデータ（過去のテキストデータ）と、過去のテキストデータに紐つけられた音声データと、点群を含める特徴点データ（前工程用特徴点データ）とを取得することを含んでもよい（取得ステップＳ２１０）。また、取得ステップＳ２１０は音声データから生成されたテキストデータを取得してもよい。取得ステップＳ２１０は、画像データ、特徴点データ（前工程用特徴点データ及び後工程用特徴点データ）、過去のテキストデータ、及び音声データのそれぞれを取得するタイミングは、任意である。
【００９６】
＜前工程用データベース生成ステップＳ２２０＞
次に、前工程用データベース生成ステップＳ２２０は、一組の過去のテキストデータと、音声データと、前工程用特徴点データとを学習データ（前工程用学習データ）とした機械学習により、前工程用データベースを生成する。例えば、前工程用データベース生成部１６ａは、公知の機械学習により、前工程用データベースを生成する。前工程用データベース生成部１６ａは、例えば記憶部１５を介して、生成した前工程用データベースを保存部１０４に保存する。なお、生成された前工程用データベースは、例えばサーバ３や他のコンテンツ再生装置１に、前工程用データベースを送信されてもよい。前工程用学習データは、一組の過去のテキストデータと、音声データと、前工程用特徴点データとを複数（例えば１０００程度）含ませてもよい。
【００９７】
（第１実施形態：コンテンツ再生システムの動作）
次に、本実施形態におけるコンテンツ再生システム１００の動作の一例について説明する。図８は、本実施形態におけるコンテンツ再生システム１００の動作の一例を示すフローチャートである。
【００９８】
＜取得手段Ｓ３１０＞
取得手段Ｓ３１０は、ユーザ等により入力された任意のテキストデータを取得する。取得手段Ｓ３１０では、例えば取得部１１が、上述したテキストデータを取得する。取得部１１は、例えば端末２等からテキストデータを取得するほか、例えば記憶部１５を介して、保存部１０４から取得してもよい。
【００９９】
＜前工程処理手段Ｓ３２０＞
前工程処理手段Ｓ３２０は、例えば前工程用データベースを参照し、取得手段Ｓ３１０で取得した任意のテキストデータに対応する音声データ（第１音声データ）及び特徴点データ（第１特徴点データ）を取得する。前工程処理手段Ｓ３２０では、例えば前工程処理部１２ａは、前工程用データベースを参照し、テキストデータに対して連関性の最も高い音声データ、及び特徴点データを、第１音声データ及び第１特徴点データとして取得する。
【０１００】
前工程処理部１２ａは、例えば取得部１１からテキストデータを取得してもよい。前工程処理部１２ａは、例えば記憶部１５を介して、取得した音声データ及び特徴点データを保存部１０４に保存してもよい。なお、取得した各データは、例えばサーバ３や他のコンテンツ再生装置１に送信されてもよい。取得するデータは擬似的に生成されたデータでもよい。取得するデータはひとつのテキストデータに対して複数のデータを取得してもよい。
【０１０１】
＜後工程処理手段Ｓ３３０＞
後工程処理手段Ｓ３３０は、例えば後工程用データベースを参照し、前工程処理手段Ｓ３２０で取得した第１特徴点データに対応する第１画像データを取得する。後工程処理手段Ｓ３３０では、例えば後工程処理部１２ｂは、後工程用データベースを参照し、第１特徴点データに対応する第１画像データを取得する。
【０１０２】
後工程処理部１２ｂは、例えば前工程処理部１２ａから第１特徴点データを取得してもよい。後工程処理部１２ｂは、例えば記憶部１５を介して、取得した画像データを保存部１０４に保存してもよい。なお、取得した画像データは、例えばサーバ３や他のコンテンツ再生装置１に送信されてもよい。取得するデータは擬似データでもよい。取得するデータはひとつの特徴点データに対して複数のデータを取得してもよい。
【０１０３】
＜生成手段Ｓ３４０＞
生成手段Ｓ３４０は、例えば前工程処理手段Ｓ３２０で取得した第１音声データと後工程処理手段Ｓ３３０で取得した第１画像データとに基づく擬似データを生成する。生成手段Ｓ３４０では、例えば生成部１３は、前工程処理部１２ａで取得した第１音声データと、後工程処理部１２ｂで取得した第１画像データに基づき、擬似データを生成する。生成部１３は例えば記憶部１５を介して、取得した擬似データを保存部１０４に保存してもよい。なお、取得したデータは、例えばサーバ３や他のコンテンツ再生装置１に送信されてもよい。
【０１０４】
その後、例えば出力部１４は、生成手段Ｓ３４０により生成された擬似データを、表示部１０９や端末２等に出力する。
【０１０５】
上述した各手段を行うことで、本実施形態におけるコンテンツ再生システム１００の動作が完了する。
【０１０６】
本実施形態によれば、後工程用データベース生成ステップＳ１２０は、一対の人の顔を含む画像データと、人の顔に基づく点群を含む特徴点データと、を後工程用学習データとして、複数の後工程用学習データを用いた機械学習により後工程用データベースを生成する。このため、生成された後工程用データベースを用いて擬似データを生成する際、点群に基づく顔全体の動きを、テキストに連動させることができる。これにより、擬似データを生成する際の精度向上を図ることが可能となる。
【０１０７】
また、本実施形態によれば、前工程用データベース生成ステップＳ２２０は、一組の過去のテキストデータと、過去のテキストデータに紐づけられた音声データと、点群を含む前処理用特徴点データとを前工程用学習データとして、複数の前工程用学習データを用いた機械学習により前工程用データベースを生成する。すなわち、生成された前工程用データベースを参照し、任意のテキストデータに対応する音声データ、及び特徴点データを取得することができる。また、後工程用データベースを参照し、取得した特徴点データに対応する画像データを取得でき、各データベースを参照して取得した音声データ及び画像データに基づき、擬似データを生成することができる。このため、前工程用データベース及び後工程用データベースを用いることで、入力データとしてテキストデータのみから擬似データを生成することができる。これにより、擬似データを生成するために必要なデータ種類を最小限に抑えることができる。従って、ユーザ等がデータを準備するための負担を軽減することが可能となる。
【０１０８】
また、本実施形態によれば、後工程処理部１２ｂは、後工程用データベースを参照し、第１特徴点データに対応する第１画像データを取得する。また、生成部１３は、第１音声データ、及び第１画像データに基づき、音声及び画像を含む擬似データを生成する。このため、擬似データを生成する際、点群に基づく顔全体の動きを、テキストに連動させることができる。これにより、擬似データを生成する際の精度向上を図ることが可能となる。
【０１０９】
（第２実施形態）
次に、第２実施形態におけるコンテンツ再生システム１００、コンテンツ再生装置１、及び学習方法の一例について説明する。上述した実施形態と、本実施形態との違いは、学習データの一部を擬似的に生成する点である。なお、上述した内容と同様の内容については、説明を省略する。
【０１１０】
本実施形態における学習方法では、例えば図９（ａ）に示すように、後工程用データベースを生成する際、一対の擬似的に生成された擬似画像データと擬似特徴点データの後工程用学習データが用いられてもよい。例えば、擬似画像データは画像データに含まれ、擬似特徴点データは特徴点データに含まれ、上述した後工程用学習データとして用いられる。なお、後工程用学習データに含まれる擬似画像データ及び擬似特徴点データの割合は、任意である。
【０１１１】
本実施形態における学習方法は、例えば画像データを取得したあと、画像データを用いて関連データを生成し、特徴点データとしてもよい。すなわち、関連データは、画像データに撮像された人の顔の特徴を特定し、点群として抽出されたデータを示す。このため、関連データは、特徴点データと同種のデータであり、特徴点データに関連データを含ませることができる。なお、関連データを生成する方法として、２次元データから３次元データを抽出する公知の技術が用いられる。
【０１１２】
例えば取得部１１は、１つの画像データに基づいて、少なくとも１つの関連データを生成でき、生成された関連データを、特徴点データとして取得することができる。
【０１１３】
学習方法は、例えば取得した特徴点データの一部を変化させた擬似特徴点データを取得してもよい。擬似特徴点データは、例えばＧＡＮ（Generative Adversarial Network）等のようなＧｅｎｅｒａｔｏｒとＤｉｓｃｒｉｍｉｎａｔｏｒとの２つのネットワークを持つモデルを用いて行われる画像補完の技術によって生成することができる。
【０１１４】
例えば取得部１１は、１つの特徴点データに基づいて、少なくとも１つの擬似特徴点データを取得することができる。
【０１１５】
学習方法は、例えば予め生成された画像生成用モデルを参照して、特徴点データ又は擬似特徴点データに基づく擬似画像データを取得してもよい。画像生成用モデルは、例えば一対の予め取得された過去の画像データと、過去の特徴点データと、を準備用学習データとして、複数の前記準備用学習データを用いた機械学習により生成される。例えば取得部１１は、画像生成用モデルを参照し、特徴点データ又は擬似特徴点データに基づき擬似画像データを生成する。
【０１１６】
例えば取得部１１は、１つの特徴点データ又は擬似特徴点データに基づいて、少なくとも１つの擬似画像データを取得することができる。
【０１１７】
ＤＢ生成部１６は、例えばニューラルネットワークをモデルとした機械学習を用いて、画像生成用モデルを生成する。学習方法では、例えばＧＡＮやオートエンコーダをモデルとした機械学習を用いて、画像生成用モデルが生成され、特に、Ｃｏｎｄｉｔｉｏｎａｌ  ＧＡＮの一種であるｐｉｘ２ｐｉｘをモデルとした機械学習を用いて、画像生成用モデルが生成されてもよい。
【０１１８】
画像生成用モデルは、例えば、特徴点データ又は擬似特徴点データに対する擬似画像データの生成に用いることができる。この画像生成用モデルを用いた擬似画像データの生成は、ＧＡＮ等のようなＧｅｎｅｒａｔｏｒとＤｉｓｃｒｉｍｉｎａｔｏｒとの２つのネットワークを持つモデルを用いて行われる画像補完の技術を利用することで、実現することが可能である。即ち、過去の画像データを、過去の特徴点データの正解特徴点として学習させることで、擬似画像データを生成する精度を高めることができる。
【０１１９】
本実施形態による学習方法は、例えば擬似音声用データベースを生成してもよい。擬似音声用データベースは、例えば前工程処理用データベースの学習データとして用いられる音声データ、及び特徴点データを、擬似的に生成するために用いられる。
【０１２０】
学習方法は、例えば図９（ｂ）に示すように、複数の学習データ（複数の擬似音声用学習データ）を用いた機械学習により、擬似音声用データベースを生成する。学習方法では、例えばニューラルネットワークをモデルとした機械学習を用いて、擬似音声用データベースを生成する。擬似音声用データベースは、例えばＣＮＮをモデルとした機械学習を用いて生成されるほか、任意のモデルが用いられてもよい。
【０１２１】
擬似音声用データベースは、例えば一対の予め取得された過去の音声データと、過去の特徴点データと、を擬似音声用学習データとして、複数の擬似音声用学習データを用いた機械学習により生成される。学習方法では、擬似音声用データベースを参照し、擬似特徴点データに基づく擬似音声データを取得する。学習方法は、１つの擬似特徴点データに基づいて、少なくとも１つの擬似音声データを取得することができる。
【０１２２】
本実施形態における学習方法は、例えば擬似特徴点データを取得し、擬似音声用データベースを参照し、擬似特徴点データに基づく擬似音声データを取得してもよい。
【０１２３】
学習方法では、例えばニューラルネットワークをモデルとした機械学習を用いて、音声取得用モデルを生成する。学習方法では、ＧＡＮやオートエンコーダをモデルとした機械学習を用いて、音声取得用モデルが生成され、特に、ＧＡＮを用いたクロスモーダルをモデルとした機械学習を用いて、音声取得用モデルが生成されてもよい。
【０１２４】
音声取得用モデルは、一対の過去の音声データと、過去の特徴点データとを音声取得用学習データとした機械学習により生成されることで、入力データ（例えば特徴点データ）に対する出力データ（例えば擬似音声データ）の生成に用いることができる。この擬似音声データの生成は、ＧＡＮ等のようなＧｅｎｅｒａｔｏｒとＤｉｓｃｒｉｍｉｎａｔｏｒとの２つのネットワークを持つモデルを用いて行われる学習データを補完する技術を利用することで、実現することが可能である。即ち、過去の音声データを、過去の特徴点データの正解として学習させることで、擬似音声データを生成する精度を高めることができる。
【０１２５】
本実施形態における学習方法は、例えば、音声データを取得し、擬似音声用データベースを参照し、音声データに基づく擬似特徴点データを取得してもよい。学習方法は、１つの音声データに基づいて、少なくとも１つの擬似特徴点データを取得することができる。
【０１２６】
学習方法では、擬似音声用データベースを参照し、特徴点データに基づいた擬似音声データを取得する。学習方法は、１つの特徴点データに基づいて、少なくとも１つの擬似音声データを取得することができる。
【０１２７】
本実施形態における学習方法は、例えば一組の上述した擬似音声データと、擬似音声データから生成されたテキストデータと、擬似特徴点データとを前工程用学習データとして前工程用データベースを生成してもよい。
【０１２８】
なお、コンテンツ再生装置１は、上述したモデル、データベース及び学習方法を実施する機能を備えるほか、例えば端末２等によって生成されたデータベース、擬似音声データ、擬似特徴点データ、擬似画像データ及び各モデルの少なくとも何れかを取得してもよい。
【０１２９】
（第２実施形態：学習方法）
次に、第２実施形態における学習方法の一例について説明する。図１０は、本実施形態における後工程用データベースを生成する学習方法の一例を示すフローチャートである。
【０１３０】
後工程用データベースを生成する学習方法は関連データ取得ステップＳ４１０と、擬似特徴点データ取得ステップＳ４２０と、擬似画像データ取得ステップＳ４３０と、後工程用データベース生成ステップＳ４４０と、を備える。
【０１３１】
＜関連データ取得ステップＳ４１０＞
関連データ取得ステップＳ４１０は、例えば人の顔を含む画像データを取得し、取得した画像データを用いて生成された関連データを取得する。関連データ取得ステップＳ４１０では、例えば取得部１１は、関連データを特徴点データとして取得する。なお、関連データ取得ステップＳ４１０では、例えば予め生成された過去の画像データ及び過去の特徴点データを取得する動作のほか、例えば撮影装置により撮像された人の顔を含む画像に基づき生成された画像データを取得する動作、及び画像データを用いて生成された関連データを取得する動作、を実行するコンテンツ再生装置１等の電子機器が用いられてもよい。関連データ取得ステップＳ４１０では、例えば取得部１１が、上述した各データを取得する。取得部１１は、例えば端末２等から画像データを取得するほか、例えば記憶部１５を介して、保存部１０４から取得してもよい。
【０１３２】
＜擬似特徴点データ取得ステップＳ４２０＞
擬似特徴点データ取得ステップＳ４２０は、例えば関連データ取得ステップＳ４１０で取得した特徴点データの一部を変化させ、擬似特徴点データを複数取得する。擬似特徴点データ取得ステップＳ４２０では、例えば取得部１１が、上述した各データを取得する。取得部１１は、例えば端末２等から特徴点データを取得するほか、例えば記憶部１５を介して、保存部１０４から取得してもよい。
【０１３３】
＜擬似画像データ取得ステップＳ４３０＞
擬似画像データ取得ステップＳ４３０は、例えば一対の予め取得された過去の画像データと、過去の特徴点データと、を準備用学習データとして、複数の準備用学習データを用いた機械学習により生成された画像生成用モデルを参照し、特徴点データ又は擬似特徴点データに基づき擬似画像データを取得する。擬似画像データ取得ステップＳ４３０では、例えば取得部１１が、上述した各データを取得する。取得部１１は、例えば端末２等から擬似特徴点データ等を取得するほか、例えば記憶部１５を介して、保存部１０４から取得してもよい。
【０１３４】
＜後工程用データベース生成ステップＳ４４０＞
次に、後工程用データベースを生成する。後工程用データベース生成ステップＳ４４０では、例えば一対の取得した擬似画像データを含む画像データと、取得した擬似特徴点データを含む特徴点データとを後工程用学習データとした機械学習により、後工程用データベースを生成する。後工程用データベース生成部１６ｂは、例えば記憶部１５を介して、生成した後工程用データベースを保存部１０４に保存する。なお、生成された後工程用データベースは、例えばサーバ３や他のコンテンツ再生装置１に、後工程用データベースを送信してもよい。後工程用学習データは、一対の擬似画像データと、擬似特徴点データとの学習データを複数（例えば１０００程度）含ませてもよい。
【０１３５】
上述したステップを行うことで、本実施形態における学習方法が完了する。
【０１３６】
図１１は、本実施形態における擬似音声用データベースを生成する学習方法の一例を示すフローチャートである。
【０１３７】
学習方法は、例えば擬似音声データ取得ステップＳ５２０と、擬似音声用データベース生成ステップＳ５３０と、をさらに備えてもよい。また、上述した取得ステップＳ１１０は、音声取得ステップＳ５１０を含んでもよい。
【０１３８】
＜音声取得ステップＳ５１０＞
音声取得ステップＳ５１０は、例えば音声を含める音声データと、特徴点データとを取得する。なお、音声取得ステップＳ５１０では、例えば予め生成された音声データ及び特徴点データとして取得する動作のほか、例えば撮影装置により収音された音声データを取得する動作、及び特徴点データを取得する動作、を実行するコンテンツ再生装置１等の電子機器を用いてもよい。また、例えばコンテンツ再生装置１は、テキストデータに基づき生成された音声データを取得してもよい。音声取得ステップＳ５１０では、例えば取得部１１が、上述した各データを取得する。取得部１１は、例えば端末２等から音声データ、及び特徴点データを取得するほか、例えば記憶部１５を介して、保存部１０４から取得してもよい。
【０１３９】
＜擬似音声データ取得ステップＳ５２０＞
擬似音声データ取得ステップＳ５２０は、例えば一対の予め取得された過去の音声データと、過去の特徴点データと、を音声取得用学習データとして、複数の音声取得用学習データを用いた機械学習により生成された音声取得用モデルを参照し、例えば擬似特徴点データに基づく擬似音声データを取得する。
【０１４０】
また擬似音声データ取得ステップＳ５２０は、例えば音声取得用モデルを参照し、音声データに基づき、擬似特徴点データを生成してもよい。擬似音声データ取得ステップＳ５２０では、例えば取得部１１が、上述した各データを取得する。取得部１１は、例えば端末２等から音声データ、及び特徴点データを取得するほか、例えば記憶部１５を介して、保存部１０４から取得してもよい。
【０１４１】
＜擬似音声用データベース生成ステップＳ５３０＞
次に、擬似音声用データベースを生成する。擬似音声用データベース生成ステップＳ５３０では、例えば一対の取得した音声データ又は擬似音声データと、取得した特徴点データ又は擬似特徴点データとを擬似音声用学習データとした機械学習により、擬似音声用データベースを生成する。例えば、前工程用データベース生成部１６ａは、公知の機械学習により、擬似音声用データベースを生成する。前工程用データベース生成部１６ａは、例えば記憶部１５を介して、生成したデータベースを保存部１０４に保存する。なお、生成された擬似音声用データベースは、例えばサーバ３や他のコンテンツ再生装置１に送信されてもよい。擬似音声用データベースは、一対の音声データ又は擬似音声データと特徴点データ又は擬似特徴点データを複数（例えば１０００程度）含ませてもよい。
【０１４２】
上述したステップを行うことで、本実施形態における擬似音声用データベースの学習方法が完了する。
【０１４３】
本実施形態によれば、擬似特徴点データ取得ステップＳ４２０は、取得した特徴点データの一部を変化させ、点群を含む擬似特徴点データを複数生成し、特徴点データとして取得する。すなわち、後工程用学習データとして用いられる特徴点データが少ない場合においても、擬似特徴点データを後工程用学習データとして用いることができる。このため、機械学習に用いられる後工程用学習データを容易に取得することができる。これにより、少ない学習データでさらなる精度の向上を実現することが可能となる。
【０１４４】
また、本実施形態によれば、擬似画像データ取得ステップＳ４３０は、特徴点データ又は擬似特徴点データに基づき擬似画像データを生成する。すなわち、後工程用学習データとして用いられる画像データが少ない場合においても、擬似画像データを後工程用学習データとして用いることができる。このため、機械学習に用いられる後工程用学習データを容易に取得することができる。これにより、少ない学習データでさらなる精度の向上を実現することが可能となる。
【０１４５】
また、本実施形態によれば、擬似音声データ取得ステップＳ５２０は、特徴点データに基づく擬似音声データを生成する。すなわち、擬似音声用入力データとして用いられる音声データが少ない場合においても、特徴点データに基づき生成された擬似音声データを、擬似音声用入力データとして用いることができる。このため、機械学習に用いられる特徴点データに紐づけられた擬似音声データを、擬似音声用入力データとして容易に取得することができる。これにより、少ない学習データでさらなる精度の向上を実現することが可能となる。
【０１４６】
本発明の実施形態を説明したが、この実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４７】
１        ：コンテンツ再生装置
２        ：端末
３        ：サーバ
４        ：通信網
１０      ：筐体
１１      ：取得部
１２      ：処理部
１２ａ    ：前工程処理部
１２ｂ    ：後工程処理部
１３      ：生成部
１４      ：出力部
１５      ：記憶部
１６      ：ＤＢ生成部
１６ａ    ：前工程用データベース生成部
１６ｂ    ：後工程用データベース生成部
１００    ：コンテンツ再生システム
１０１    ：ＣＰＵ
１０２    ：ＲＯＭ
１０３    ：ＲＡＭ
１０４    ：保存部
１０５    ：Ｉ／Ｆ
１０６    ：Ｉ／Ｆ
１０７    ：Ｉ／Ｆ
１０８    ：入力部
１０９    ：表示部
１１０    ：内部バス
Ｓ１１０  ：取得ステップ
Ｓ１２０  ：後工程用データベース生成ステップ
Ｓ２１０  ：取得ステップ
Ｓ２２０  ：前工程用データベース生成ステップ
Ｓ３１０  ：取得手段
Ｓ３２０  ：前工程処理手段
Ｓ３３０  ：後工程処理手段
Ｓ３４０  ：生成手段
Ｓ４１０  ：関連データ取得ステップ
Ｓ４２０  ：擬似特徴点データ取得ステップ
Ｓ４３０  ：擬似画像データ取得ステップ
Ｓ４４０  ：後工程用データベース生成ステップ
Ｓ５１０  ：音声取得ステップ
Ｓ５２０  ：擬似音声データ取得ステップ
Ｓ５３０  ：擬似音声用データベース生成ステップ
【図１】
2022003447.tif 000003
【図２】
2022003447.tif 000004
【図３】
2022003447.tif 000005
【図４】
2022003447.tif 000006
【図５】
2022003447.tif 000007
【図６】
2022003447.tif 000008
【図７】
2022003447.tif 000009
【図８】
2022003447.tif 000010
【図９】
2022003447.tif 000011
【図１０】
2022003447.tif 000012
【図１１】
2022003447.tif 000013
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
入力されたテキストデータに対し、音声及び画像を含む擬似データを生成するために用いられるデータベースを生成する学習方法であって、
人の顔を含む画像データと、前記人の顔に基づく点群を含む特徴点データと、を取得する取得ステップと、
一対の前記画像データと、前記特徴点データとを後工程用学習データとして、複数の前記後工程用学習データを用いた機械学習により、前記特徴点データに対応する前記画像データを取得するための後工程用データベースを生成する後工程用データベース生成ステップと、
を備え、
前記特徴点データは、前記画像データを用いて生成された関連データを有し、
前記取得ステップは、取得した前記画像データに基づき抽出された前記点群を含む前記関連データを取得する関連データ取得ステップを含むこと
を特徴とする学習方法。
【請求項２】
入力されたテキストデータに対し、音声及び画像を含む擬似データを生成するために用いられるデータベースを生成する学習方法であって、
人の顔を含む画像データと、前記人の顔に基づく点群を含む特徴点データと、を取得する取得ステップと、
一対の前記画像データと、前記特徴点データとを後工程用学習データとして、複数の前記後工程用学習データを用いた機械学習により、前記特徴点データに対応する前記画像データを取得するための後工程用データベースを生成する後工程用データベース生成ステップと、
を備え、
前記取得ステップは、取得した前記特徴点データの一部を変化させ、前記点群を含む擬似特徴点データを複数生成し、前記特徴点データとして取得する擬似特徴点データ取得ステップを含むこと
を特徴とする学習方法。
【請求項３】
入力されたテキストデータに対し、音声及び画像を含む擬似データを生成するために用いられるデータベースを生成する学習方法であって、
人の顔を含む画像データと、前記人の顔に基づく点群を含む特徴点データと、を取得する取得ステップと、
一対の前記画像データと、前記特徴点データとを後工程用学習データとして、複数の前記後工程用学習データを用いた機械学習により、前記特徴点データに対応する前記画像データを取得するための後工程用データベースを生成する後工程用データベース生成ステップと、
を備え、
前記取得ステップは、音声データを取得する音声取得ステップを含み、
一対の前記音声データと、前記特徴点データと、を擬似音声用学習データとして、複数の前記擬似音声用学習データを用いた機械学習により擬似音声用データベースを生成する擬似音声用データベース生成ステップをさらに備えること
を特徴とする学習方法。
【請求項４】
前記取得ステップは、過去のテキストデータと、前記過去のテキストデータに紐づけられた音声データと、前記点群を含む前工程用特徴点データとを取得することを含み、
一組の前記過去のテキストデータと、前記音声データと、前記前工程用特徴点データとを前工程用学習データとして、複数の前記前工程用学習データを用いた機械学習により、前記テキストデータに対応する前記音声データと前記前工程用特徴点データとを取得するための前工程用データベースを生成する前工程用データベース生成ステップをさらに備えること
を特徴とする請求項１〜３の何れか１項記載の学習方法。
【請求項５】
前記取得ステップは、取得した前記特徴点データの一部を変化させ、前記点群を含む擬似特徴点データを複数生成し、前記特徴点データとして取得する擬似特徴点データ取得ステップを含むこと
を特徴とする請求項１記載の学習方法。
【請求項６】
前記画像データは、前記特徴点データ又は前記擬似特徴点データを用いて生成された擬似画像データを有し、
一対の予め取得された過去の画像データと、過去の特徴点データと、を準備用学習データとして、複数の前記準備用学習データを用いた機械学習により生成された画像生成用モデルを参照し、前記特徴点データ又は前記擬似特徴点データに基づき擬似画像データを生成する擬似画像データ取得ステップを含むこと
を特徴とする請求項２又は５記載の学習方法。
【請求項７】
前記取得ステップは、音声データを取得する音声取得ステップを含み、
一対の前記音声データと、前記特徴点データと、を擬似音声用学習データとして、複数の前記擬似音声用学習データを用いた機械学習により擬似音声用データベースを生成する擬似音声用データベース生成ステップをさらに備えること
を特徴とする請求項１記載の学習方法。
【請求項８】
前記音声データは、前記特徴点データを用いて生成された擬似音声データを有し、
前記取得ステップは、一対の予め取得された過去の音声データと、過去の特徴点データと、を音声取得用学習データとして、複数の前記音声取得用学習データを用いた機械学習により生成された音声取得用モデルを参照し、前記特徴点データに基づく擬似音声データを取得する擬似音声データ取得ステップを含むこと、
を特徴とする請求項７記載の学習方法。
【請求項９】
前記特徴点データは、前記音声データを用いて生成された擬似特徴点データを有し、
前記取得ステップは、一対の予め取得された過去の音声データと、過去の特徴点データと、を音声取得用学習データとして、複数の前記音声取得用学習データを用いた機械学習により生成された音声取得用モデルを参照し、前記音声データに基づく擬似特徴点データを取得する擬似特徴点データ取得ステップを含めること、
を特徴とする請求項７記載の学習方法。
【請求項１０】
前記擬似画像データ取得ステップは、
１つの新たな前記特徴点データ又は１つの新たな前記擬似特徴点データに対して、複数の前記擬似画像データを取得すること
を特徴とする請求項６記載の学習方法。
【請求項１１】
前記擬似音声データ取得ステップは、
１つの新たな前記特徴点データに対して、複数の前記擬似音声データを取得すること
を特徴とする請求項８記載の学習方法。
【請求項１２】
前記擬似特徴点データ取得ステップは、
１つの新たな音声データに対して、複数の前記擬似特徴点データを取得すること
を特徴とする請求項９記載の学習方法。
【請求項１３】
請求項４の学習方法により生成された前記前工程用データベース及び前記後工程用データベースを参照し、前記音声及び前記画像を含む前記擬似データを出力するコンテンツ再生装置であって、
テキストデータを取得する取得部と、
前記前工程用データベースを参照し、前記テキストデータに対応する第１音声データと、前記点群を含む第１特徴点データと、を取得する前工程処理部と、
前記後工程用データベースを参照し、前記第１特徴点データに対応する第１画像データを取得する後工程処理部と、
前記第１画像データと、前記第１音声データとに基づき生成された擬似データを出力する出力部と、
を備えることを特徴とするコンテンツ再生装置。
【請求項１４】
音声及び画像を含む擬似データを生成するためのコンテンツ再生装置であって、
テキストデータを取得する取得部と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理部と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理部と、
前記第１音声データ、及び第１画像データに基づき、前記音声及び前記画像を含む前記擬似データを生成する生成部と、
を備え、
前記後工程用特徴点データは、前記画像データに基づき抽出された前記点群を含む関連データを有すること
を特徴とするコンテンツ再生装置。
【請求項１５】
音声及び画像を含む擬似データを生成するためのコンテンツ再生装置であって、
テキストデータを取得する取得部と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理部と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理部と、
前記第１音声データ、及び第１画像データに基づき、前記音声及び前記画像を含む前記擬似データを生成する生成部と、
を備え、
前記後工程用特徴点データは、前記後工程用特徴点データの一部を変化させ、複数生成した前記点群を含む擬似特徴点データを有すること
を特徴とするコンテンツ再生装置。
【請求項１６】
音声及び画像を含む擬似データを生成するためのコンテンツ再生装置であって、
テキストデータを取得する取得部と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理部と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理部と、
前記第１音声データ、及び第１画像データに基づき、前記音声及び前記画像を含む前記擬似データを生成する生成部と、
一対の前記音声データと、前記後工程用特徴点データと、を擬似音声用学習データとして、複数の前記擬似音声用学習データを用いた機械学習により構成された擬似音声用データベースと、
を備えることを特徴とするコンテンツ再生装置。
【請求項１７】
音声及び画像を含む擬似データを生成するためのコンテンツ再生システムであって、
テキストデータを取得する取得手段と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理手段と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理手段と、
前記第１音声データ、及び第１画像データに基づき、前記音声及び前記画像を含む前記擬似データを生成する生成手段と、
を備え、
前記後工程用特徴点データは、前記画像データに基づき抽出された前記点群を含む関連データを有すること
を特徴とするコンテンツ再生システム。
【請求項１８】
音声及び画像を含む擬似データを生成するためのコンテンツ再生システムであって、
テキストデータを取得する取得手段と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理手段と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理手段と、
前記第１音声データ、及び第１画像データに基づき、前記音声及び前記画像を含む前記擬似データを生成する生成手段と、
を備え、
前記後工程用特徴点データは、前記後工程用特徴点データの一部を変化させ、複数生成した前記点群を含む擬似特徴点データを有すること
を特徴とするコンテンツ再生システム。
【請求項１９】
音声及び画像を含む擬似データを生成するためのコンテンツ再生システムであって、
テキストデータを取得する取得手段と、
一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、
前記前工程用データベースを参照し、前記テキストデータに対応する第１音声データ、及び第１特徴点データを取得する前工程処理手段と、
一対の予め取得された前記点群を含む後工程用特徴点データと、前記人の顔を撮像した画像データとを後工程用学習データとして、複数の前記後工程用学習データを用いた機械学習により構築された後工程用データベースと、
前記後工程用データベースを参照し、前記第１特徴点データに対応する第１画像データを取得する後工程処理手段と、
前記第１音声データ、及び第１画像データに基づき、前記音声及び前記画像を含む前記擬似データを生成する生成手段と、
一対の前記音声データと、前記後工程用特徴点データと、を擬似音声用学習データとして、複数の前記擬似音声用学習データを用いた機械学習により構成された擬似音声用データベースと、
を備えることを特徴とするコンテンツ再生システム。
【手続補正２】
【補正対象書類名】明細書
【補正対象項目名】０００７
【補正方法】変更
【補正の内容】
【０００７】
第１発明に係る学習方法は、入力されたテキストデータに対し、音声及び画像を含む擬似データを生成するために用いられるデータベースを生成する学習方法であって、人の顔を含む画像データと、前記人の顔に基づく点群を含む特徴点データと、を取得する取得ステップと、一対の前記画像データと、前記特徴点データとを後工程用学習データとして、複数の前記後工程用学習データを用いた機械学習により、前記特徴点データに対応する前記画像データを取得するための後工程用データベースを生成する後工程用データベース生成ステップと、を備え、前記特徴点データは、前記画像データを用いて生成された関連データを有し、前記取得ステップは、取得した前記画像データに基づき抽出された前記点群を含む前記関連データを取得する関連データ取得ステップを含むことを特徴とする。
【手続補正３】
【補正対象書類名】明細書
【補正対象項目名】０００８
【補正方法】変更
【補正の内容】
【０００８】
第２発明に係る学習方法は、入力されたテキストデータに対し、音声及び画像を含む擬似データを生成するために用いられるデータベースを生成する学習方法であって、人の顔を含む画像データと、前記人の顔に基づく点群を含む特徴点データと、を取得する取得ステップと、一対の前記画像データと、前記特徴点データとを後工程用学習データとして、複数の前記後工程用学習データを用いた機械学習により、前記特徴点データに対応する前記画像データを取得するための後工程用データベースを生成する後工程用データベース生成ステップと、を備え、前記取得ステップは、取得した前記特徴点データの一部を変化させ、前記点群を含む擬似特徴点データを複数生成し、前記特徴点データとして取得する擬似特徴点データ取得ステップを含むことを特徴とする。
【手続補正４】
【補正対象書類名】明細書
【補正対象項目名】０００９
【補正方法】変更
【補正の内容】
【０００９】
第３発明に係る学習方法は、入力されたテキストデータに対し、音声及び画像を含む擬似データを生成するために用いられるデータベースを生成する学習方法であって、人の顔を含む画像データと、前記人の顔に基づく点群を含む特徴点データと、を取得する取得ステップと、一対の前記画像データと、前記特徴点データとを後工程用学習データとして、複数の前記後工程用学習データを用いた機械学習により、前記特徴点データに対応する前記画像データを取得するための後工程用データベースを生成する後工程用データベース生成ステップと、を備え、前記取得ステップは、音声データを取得する音声取得ステップを含み、一対の前記音声データと、前記特徴点データと、を擬似音声用学習データとして、複数の前記擬似音声用学習データを用いた機械学習により擬似音声用データベースを生成する擬似音声用データベース生成ステップをさらに備えることを特徴とする。
【手続補正５】
【補正対象書類名】明細書
【補正対象項目名】００１０
【補正方法】変更
【補正の内容】
【００１０】
第４発明に係る学習方法は、第１発明〜第３発明のいずれかにおいて、前記取得ステップは、過去のテキストデータと、前記過去のテキストデータに紐づけられた音声データと、前記点群を含む前工程用特徴点データとを取得することを含み、一組の前記過去のテキストデータと、前記音声データと、前記前工程用特徴点データとを前工程用学習データとして、複数の前記前工程用学習データを用いた機械学習により、前記テキストデータに対応する前記音声データと前記前工程用特徴点データとを取得するための前工程用データベースを生成する前工程用データベース生成ステップをさらに備えることを特徴とする。
【手続補正６】
【補正対象書類名】明細書
【補正対象項目名】００１１
【補正方法】変更
【補正の内容】
【００１１】
第５発明に係る学習方法は、第１発明において、前記取得ステップは、取得した前記特徴点データの一部を変化させ、前記点群を含む擬似特徴点データを複数生成し、前記特徴点データとして取得する擬似特徴点データ取得ステップを含むことを特徴とする。
【手続補正７】
【補正対象書類名】明細書
【補正対象項目名】００１２
【補正方法】変更
【補正の内容】
【００１２】
第６発明に係る学習方法は、第２発明又は第５発明において、前記画像データは、前記特徴点データ又は前記擬似特徴点データを用いて生成された擬似画像データを有し、一対の予め取得された過去の画像データと、過去の特徴点データと、を準備用学習データとして、複数の前記準備用学習データを用いた機械学習により生成された画像生成用モデルを参照し、前記特徴点データ又は前記擬似特徴点データに基づき擬似画像データを生成する擬似画像データ取得ステップを含むことを特徴とする。
【手続補正８】
【補正対象書類名】明細書
【補正対象項目名】００１３
【補正方法】変更
【補正の内容】
【００１３】
第７発明に係る学習方法は、第１発明において、前記取得ステップは、音声データを取得する音声取得ステップを含み、一対の前記音声データと、前記特徴点データと、を擬似音声用学習データとして、複数の前記擬似音声用学習データを用いた機械学習により擬似音声用データベースを生成する擬似音声用データベース生成ステップをさらに備えることを特徴とする。
【手続補正９】
【補正対象書類名】明細書
【補正対象項目名】００１４
【補正方法】変更
【補正の内容】
【００１４】
第８発明に係る学習方法は、第７発明において、前記音声データは、前記特徴点データを用いて生成された擬似音声データを有し、前記取得ステップは、一対の予め取得された過去の音声データと、過去の特徴点データと、を音声取得用学習データとして、複数の前記音声取得用学習データを用いた機械学習により生成された音声取得用モデルを参照し、前記特徴点データに基づく擬似音声データを取得する擬似音声データ取得ステップを含むことを特徴とする。
【手続補正１０】
【補正対象書類名】明細書
【補正対象項目名】００１５
【補正方法】変更
【補正の内容】
【００１５】
第９発明に係る学習方法は、第７発明において、前記特徴点データは、前記音声データを用いて生成された擬似特徴点データを有し、前記取得ステップは、一対の予め取得された過去の音声データと、過去の特徴点データと、を音声取得用学習データとして、複数の前記音声取得用学習データを用いた機械学習により生成された音声取得用モデルを参照し、前記音声データに基づく擬似特徴点データを取得する擬似特徴点データ取得ステップを含めることを特徴とする。
【手続補正１１】
【補正対象書類名】明細書
【補正対象項目名】００１６
【補正方法】変更
【補正の内容】
【００１６】
第１０発明に係る学習方法は、第６発明において、前記擬似画像データ取得ステップは、１つの新たな前記特徴点データ又は１つの新たな前記擬似特徴点データに対して、複数の前記擬似画像データを取得することを特徴とする。
【手続補正１２】
【補正対象書類名】明細書
【補正対象項目名】００１７
【補正方法】変更
【補正の内容】
【００１７】
第１１発明に係る学習方法は、第８発明において、前記擬似音声データ取得ステップは、１つの新たな前記特徴点データに対して、複数の前記擬似音声データを取得することを特徴とする。
【手続補正１３】
【補正対象書類名】明細書
【補正対象項目名】００１８
【補正方法】変更
【補正の内容】
【００１８】
第１２発明に係る学習方法は、第９発明において、前記擬似特徴点データ取得ステップは、１つの新たな音声データに対して、複数の前記擬似特徴点データを取得することを特徴とする。
【手続補正１４】
【補正対象書類名】明細書
【補正対象項目名】００１９
【補正方法】変更
【補正の内容】
【００１９】
第１３明に係るコンテンツ再生装置は、第４発明の学習方法により生成された前記前工程用データベース及び前記後工程用データベースを参照し、前記音声及び前記画像を含む前記擬似データを出力するコンテンツ再生装置であって、テキストデータを取得する取得部と、前記前工程用データベースを参照し、前記テキストデータに対応する第１音声データと、前記点群を含む第１特徴点データと、を取得する前工程処理部と、前記後工程用データベースを参照し、前記第１特徴点データに対応する第１画像データを取得する後工程処理部と、前記第１画像データと、前記第１音声データとに基づき生成された擬似データを出力する出力部と、を備えることを特徴とする。
【手続補正１５】
【補正対象書類名】明細書
【補正対象項目名】００２０
【補正方法】変更
【補正の内容】
【００２０】
第１４発明に係るコンテンツ再生装置は、音声及び画像を含む擬似データを生成するためのコンテンツ再生装置であって、テキストデータを取得する取得部と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理部と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理部と、前記第１音声データ、及び第１画像データに基づき、前記音声及び前記画像を含む前記擬似データを生成する生成部と、を備え、前記後工程用特徴点データは、前記画像データに基づき抽出された前記点群を含む関連データを有することを特徴とする。
第１５発明に係るコンテンツ再生装置は、音声及び画像を含む擬似データを生成するためのコンテンツ再生装置であって、テキストデータを取得する取得部と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理部と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理部と、前記第１音声データ、及び第１画像データに基づき、前記音声及び前記画像を含む前記擬似データを生成する生成部と、を備え、前記後工程用特徴点データは、前記後工程用特徴点データの一部を変化させ、複数生成した前記点群を含む擬似特徴点データを有することを特徴とする。
第１６発明に係るコンテンツ再生装置は、音声及び画像を含む擬似データを生成するためのコンテンツ再生装置であって、テキストデータを取得する取得部と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理部と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理部と、前記第１音声データ、及び第１画像データに基づき、前記音声及び前記画像を含む前記擬似データを生成する生成部と、一対の前記音声データと、前記後工程用特徴点データと、を擬似音声用学習データとして、複数の前記擬似音声用学習データを用いた機械学習により構成された擬似音声用データベースと、を備えることを特徴とする。
第１７発明に係るコンテンツ再生システムは、音声及び画像を含む擬似データを生成するためのコンテンツ再生システムであって、テキストデータを取得する取得手段と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理手段と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理手段と、前記第１音声データ、及び第１画像データに基づき、前記音声及び前記画像を含む前記擬似データを生成する生成手段と、を備え、前記後工程用特徴点データは、前記画像データに基づき抽出された前記点群を含む関連データを有することを特徴とする。
第１８発明に係るコンテンツ再生システムは、音声及び画像を含む擬似データを生成するためのコンテンツ再生システムであって、テキストデータを取得する取得手段と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理手段と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理手段と、前記第１音声データ、及び第１画像データに基づき、前記音声及び前記画像を含む前記擬似データを生成する生成手段と、を備え、前記後工程用特徴点データは、前記後工程用特徴点データの一部を変化させ、複数生成した前記点群を含む擬似特徴点データを有することを特徴とする。
第１９発明に係るコンテンツ再生システムは、音声及び画像を含む擬似データを生成するためのコンテンツ再生システムであって、テキストデータを取得する取得手段と、一組の予め取得された過去のテキストデータと、前記過去のテキストデータに紐づけられた音声データと、人の顔に基づく点群を含む前工程用特徴点データとを前工程用学習データとして、複数の前記前工程用学習データを用いた機械学習により構築された前工程用データベースと、前記前工程用データベースを参照し、前記テキストデータに対応する第１音声データ、及び第１特徴点データを取得する前工程処理手段と、一対の予め取得された前記点群を含む後工程用特徴点データと、前記人の顔を撮像した画像データとを後工程用学習データとして、複数の前記後工程用学習データを用いた機械学習により構築された後工程用データベースと、前記後工程用データベースを参照し、前記第１特徴点データに対応する第１画像データを取得する後工程処理手段と、前記第１音声データ、及び第１画像データに基づき、前記音声及び前記画像を含む前記擬似データを生成する生成手段と、一対の前記音声データと、前記後工程用特徴点データと、を擬似音声用学習データとして、複数の前記擬似音声用学習データを用いた機械学習により構成された擬似音声用データベースと、を備えることを特徴とする。
【手続補正１６】
【補正対象書類名】明細書
【補正対象項目名】００２１
【補正方法】変更
【補正の内容】
【００２１】
第１発明〜第１３発明によれば、後工程用データベース生成ステップは、一対の人の顔を含む画像データと、人の顔に基づく点群を含む特徴点データと、を後工程用学習データとして、複数の後工程用学習データを用いた機械学習により後工程用データベースを生成する。このため、生成された後工程用データベースを用いて擬似データを生成する際、点群に基づく顔全体の動きを、テキストに連動させることができる。これにより、擬似データを生成する際の精度向上を図ることが可能となる。
【手続補正１７】
【補正対象書類名】明細書
【補正対象項目名】００２２
【補正方法】変更
【補正の内容】
【００２２】
特に、第４発明によれば、前工程用データベース生成ステップは、一組の過去のテキストデータと、過去のテキストデータに紐づけられた音声データと、点群を含む前処理用特徴点データとを前工程用学習データとして、複数の前工程用学習データを用いた機械学習により前工程用データベースを生成する。すなわち、生成された前工程用データベースを参照し、任意のテキストデータに対応する音声データ、及び特徴点データを取得することができる。また、後工程用データベースを参照し、取得した特徴点データに対応する画像データを取得でき、各データベースを参照して取得した音声データ及び画像データに基づき、擬似データを生成することができる。このため、前工程用データベース及び後工程用データベースを用いることで、入力データとしてテキストデータのみから擬似データを生成することができる。これにより、擬似データを生成するために必要なデータ種類を最小限に抑えることができる。従って、ユーザ等がデータを準備するための負担を軽減することが可能となる。
【手続補正１８】
【補正対象書類名】明細書
【補正対象項目名】００２３
【補正方法】変更
【補正の内容】
【００２３】
特に、第５発明によれば、擬似特徴点データ取得ステップは、取得した特徴点データの一部を変化させ、点群を含む擬似特徴点データを複数生成し、特徴点データとして取得する。すなわち、後工程用学習データとして用いられる特徴点データが少ない場合においても、擬似特徴点データを後工程用学習データとして用いることができる。このため、機械学習に用いられる後工程用学習データを容易に取得することができる。これにより、少ない学習データでさらなる精度の向上を実現することが可能となる。
【手続補正１９】
【補正対象書類名】明細書
【補正対象項目名】００２４
【補正方法】変更
【補正の内容】
【００２４】
特に、第６発明によれば、擬似画像データ取得ステップは、特徴点データ又は擬似特徴点データに基づき擬似画像データを生成する。すなわち、後工程用学習データとして用いられる画像データが少ない場合においても、擬似画像データを後工程用学習データとして用いることができる。このため、機械学習に用いられる後工程用学習データを容易に取得することができる。これにより、少ない学習データでさらなる精度の向上を実現することが可能となる。
【手続補正２０】
【補正対象書類名】明細書
【補正対象項目名】００２５
【補正方法】変更
【補正の内容】
【００２５】
特に、第８発明によれば、擬似音声データ取得ステップは、特徴点データに基づく擬似音声データを生成する。すなわち、擬似音声用学習データとして用いられる音声データが少ない場合においても、特徴点データに基づき生成された擬似音声データを、擬似音声用学習データとして用いることができる。このため、機械学習に用いられる特徴点データに紐づけられた擬似音声データを、擬似音声用学習データとして容易に取得することができる。これにより、少ない学習データでさらなる精度の向上を実現することが可能となる。
【手続補正２１】
【補正対象書類名】明細書
【補正対象項目名】００２６
【補正方法】変更
【補正の内容】
【００２６】
特に、第９発明によれば、擬似特徴点データ取得ステップは、人の音声データから擬似特徴点データを生成する。すなわち、擬似音声用学習データとして用いられる特徴点データが少ない場合においても、音声データから生成された擬似特徴点データを擬似音声用学習データとして用いることができる。このため、機械学習に用いられる音声データに紐つけられた特徴点データを擬似音声用学習データを容易に取得することができる。これにより、少ない学習データでさらなる精度の向上を実現することが可能となる。
【手続補正２２】
【補正対象書類名】明細書
【補正対象項目名】００２７
【補正方法】変更
【補正の内容】
【００２７】
第１４〜１６発明によれば、後工程処理部は、後工程用データベースを参照し、第１特徴点データに対応する第１画像データを取得する。また、生成部は、第１音声データ、及び第１画像データに基づき、音声及び画像を含む擬似データを生成する。このため、擬似データを生成する際、点群に基づく顔全体の動きを、テキストに連動させることができる。これにより、擬似データを生成する際の精度向上を図ることが可能となる。
【手続補正２３】
【補正対象書類名】明細書
【補正対象項目名】００２８
【補正方法】変更
【補正の内容】
【００２８】
第１７〜１９発明によれば、後工程処理手段は、後工程用データベースを参照し、第１特徴点データに対応する第１画像データを取得する。また、生成手段は、第１音声データ、及び第１画像データに基づき、音声及び画像を含む擬似データを生成する。このため、擬似データを生成する際、点群に基づく顔全体の動きを、テキストに連動させることができる。これにより、擬似データを生成する際の精度向上を図ることが可能となる。